(57)【要約】【課題】高い安全性を発揮する安全スイッチを有する洗濯機を安価に提供すること。【解決手段】洗濯機本体と、前記洗濯機本体内部に支持された水槽５３と、前記水槽５３に回転自在に内包された洗濯兼脱水槽と、水槽５３の異常振動を検知する安全スイッチとを備え、 前記安全スイッチは安全スイッチ本体５１と、前記安全スイッチ本体５１に内在する第１の接点板５７と、第２の接点板５６と、第１の接点板５７及び第２の接点板５６の遊端部に対向して配設した一対の接点部４０から成り、前記接点部４０の少なくとも一つは複数の凸部を有する構成とすることにより、脱水時に接点間に繊維クズなどの異物が侵入して付着した際の安全スイッチの誤検知を抑制することができ、高い利便性を発揮することができる。【選択図】図４
2017124031.tif 000002
【特許請求の範囲】
【請求項１】
洗濯機本体と、
前記洗濯機本体内部に支持された水槽と、
前記水槽に回転自在に内包された洗濯兼脱水槽と、
前記洗濯兼脱水槽を回転駆動するモータと、
前記モータ等を制御し、洗い、すすぎ、脱水などの行程を制御する制御手段と、
前記水槽の異常振動を検知する安全スイッチとを備え、
前記安全スイッチは安全スイッチ本体と、
前記安全スイッチ本体に内在する２枚の接点板と、
前記安全スイッチ本体に配設され、水槽の異常振動時に接点板を操作するレバーと、
前記接点板の遊端部に対向して配設した一対の接点から成り、
前記接点の少なくとも一つは他方の接点に接触する複数の当接部を有するよう構成した洗濯機。
【発明の詳細な説明】
【技術分野】
【０００１】
本発明は、洗濯機本体内部に水槽が垂下防振支持された洗濯機に関するものである。
【背景技術】
【０００２】
従来、この種の洗濯機は、脱水運転時に洗濯兼脱水槽が高速回転する際に、防振支持された水槽が設定を超えて揺動した時に、安全スイッチが作動して動作を停止する構成が提案されている（例えば、特許文献１参照）。
【０００３】
特許文献１における洗濯機は、洗濯機本体内部に水槽５３を防振機構（図示せず）により懸垂防振支持している。また、水槽５３内部には、有底円筒形の洗濯兼脱水槽（図示せず）を回転自在に配設している。
【０００４】
水槽５３の底部には洗濯兼脱水槽の駆動手段を構成するモータ（図示せず）が設けられている。また、モータ等を制御する制御装置（図示せず）が設けられており、制御装置により、洗い、すすぎ、脱水などの行程を制御する。
【０００５】
以下に、水槽の異常振動を検知する安全スイッチについて説明する。
【０００６】
図５（ａ）は、特許文献１に記載された従来の洗濯機の安全スイッチの平面図、図５（ｂ）は、同安全スイッチの縦断面図、図６（ａ）は、同安全スイッチの動作時の平面図、図６（ｂ）は同安全スイッチの動作時の縦断面図、図７（ａ）は、同安全スイッチの接点部の正面図、図７（ｂ）は、同安全スイッチの接点部の側面図、図８は、同安全スイッチの接点の拡大断面図である。
【０００７】
安全スイッチは、洗濯機本体上部に設けられている。図５（ｂ）において、安全スイッチ本体５１は、洗濯機本体上部の枠体５２に取り付けられている。また、安全スイッチ本体５１の下部には、回転支持点５５が形成されており、回転支持点５５を介して水槽５３の振動を検出するレバーが回転自在に配設されている。レバーは、回転支持点５５から安全スイッチ本体５１の内方に突出した開閉レバー５８と、回転支持点５５から安全スイッチ本体５１の下方に突出した下方突出レバー５４から構成される。
【０００８】
安全スイッチ本体５１と下方突出レバー５４との間には、復帰スプリング５９が配設されており、復帰スプリング５９により下方突出レバー５４を時計方向に付勢している。
【０００９】
図５（ａ）に示すように、安全スイッチ本体５１の内部には、第１の接点板５６及び第２の接点板５７が、開閉レバー５８を挟んで略平行に配設している。
【００１０】
また、第２の接点板５７の一部には開閉レバー５８側へ向かって凸部６１が形成されている。さらに、第１の接点板５６及び第２の接点板５７の遊端部には互いに対向する接点部６０が配設されている。
【００１１】
上記のように、安全スイッチは、安全スイッチ本体５１、レバー、第１の接点板５６、第２の接点板５７、接点部６０とから構成される。
【００１２】
次に、図７（ａ）、（ｂ）を用いて、接点部６０について説明する。
【００１３】
接点部６０は、第１の接点６０ａ及び第２の接点６０ｂから構成される。図７（ａ）、
（ｂ）に示すように、第１の接点板５６の表面に第１の接点６０ａがスポット溶接されており、第２の接点板５７の表面に第２の接点６０ｂがスポット溶接されている。第１の接点６０ａ及び第２の接点６０ｂは、断面形状が略半円状で、平面形状は矩形状で形成されている。
【００１４】
第１の接点６０ａは、矩形状における長手方向が、第１の接点板５６の長手方向に対して略直角方向にスポット溶接されている。また、第２の接点６０ｂは、矩形状における長手方向が、第２の接点板５７の長手方向に対して略平行にスポット溶接されている。つまり、第１の接点６０ａと第２の接点６０ｂは、略直角に対向している。
【００１５】
次に、図８を用いて、接点部６０の構成について説明する。
【００１６】
図８に示すように、第１の接点６０ａ及び第２の接点６０ｂは、図示しない第１の接点板５６と第２の接点板５７の表面に銅合金ベース材６０ｅをスポット溶接などで溶接し、銅合金ベース材６０ｅの表面に銀母材６０ｄを溶接し、銀母材６０ｄの表面に金クラッド層６０ｃを溶接することで構成されている。
【００１７】
以上の構成により、従来技術の安全スイッチの動作を以下に説明する。
【００１８】
脱水運転中、水槽５３の横振れが小さい時は、図５（ａ）に示すように、第１の接点６０ａと第２の接点６０ｂから成る接点部６０は接触状態にある。制御装置は、第１の接点６０ａと第２の接点６０ｂが接触している間は、脱水運転可能状態と判断する。
【００１９】
脱水運転時に、洗濯機本体内の水槽５３が異常振動した場合には、水槽５３が下方突出レバー５４を図６（ｂ）中の右方向（矢印Ａ方向）へ押しつけることにより、下方突出レバー５４が図６（ｂ）中の右方向（矢印Ａ方向）へ移動する。この時、下方突出レバー５４は回転支持点５５を中心に反時計回転する。下方突出レバー５４の回転に伴い、開閉レバー５８は図６（ａ）中の左方向（矢印Ｂ方向）へ移動し、開閉レバー５８が第１の接点板５７の凸部６１を図６（ａ）中の下方（矢印Ｃ方向）へ押しやる。第２の接点板５７が矢印Ｃ方向へ移動することで、接点部６０が開状態となる。
【００２０】
制御装置は、接点部６０が開状態となったことを検知すると、モータを停止するなどの処理を行い、洗濯機の脱水運転を停止する。
【００２１】
したがって、脱水運転時の水槽の振動が異常揺動した時に、安全スイッチが作動して、洗濯機の動作を停止することが可能となる。
【先行技術文献】
【特許文献】
【００２２】
【特許文献１】特開２００２−３５４７４号公報
【発明の概要】
【発明が解決しようとする課題】
【００２３】
しかしながら、前記従来の構成では、接点間に繊維クズや埃などの異物が侵入し付着すると、前記第１の接点と前記第２の接点が常時開状態となる。そのため、誤検知により、洗濯機の運転が停止されることが想定される。
【００２４】
本発明は、上記従来の課題を解決するもので、接点間に繊維クズや埃などの異物が侵入して付着した場合でも、誤検知を抑制し得る安全スイッチを提供する。
【課題を解決するための手段】
【００２５】
前記従来の課題を解決するため、本発明の洗濯機は、洗濯機本体と、前記洗濯機本体内部に支持された水槽と、前記水槽に回転自在に内包された洗濯兼脱水槽と、前記洗濯兼脱水槽を回転駆動するモータと、前記モータ等を制御し、洗い、すすぎ、脱水などの行程を制御する制御手段と、前記水槽の異常振動を検知する安全スイッチとを備え、 前記安全スイッチは安全スイッチ本体と、前記安全スイッチ本体に内在する２枚の接点板と、前記安全スイッチ本体に配設され、水槽の異常振動時に接点板を操作するレバーと、前記接点板の遊端部に対向して配設した一対の接点から成り、前記接点の少なくとも一つは他方の接点に接触する複数の当接部を有する構成としたものである。
【００２６】
これによって、脱水時に接点間に繊維クズなどの異物が侵入して付着した際の安全スイッチの誤検知を抑制することができ、高い利便性を発揮することができる。
【発明の効果】
【００２７】
本発明の洗濯機は、脱水時に接点間に繊維クズなどの異物が侵入して付着した際の安全スイッチの誤検知を抑制することができ、高い利便性を発揮することができる。
【図面の簡単な説明】
【００２８】
【図１】（ａ）本発明の実施の形態における洗濯機の安全スイッチの平面図、（ｂ）同洗濯機の安全スイッチ付近の縦断面図
【図２】（ａ）同洗濯機の安全スイッチの動作時の平面図、（ｂ）同洗濯機の安全スイッチの動作時の縦断面図
【図３】（ａ）同洗濯機の安全スイッチの平面図、（ｂ）同洗濯機の安全スイッチの縦断面図
【図４】同洗濯機の安全スイッチの接点部の拡大断面図
【図５】（ａ）従来の洗濯機の安全スイッチの平面図、（ｂ）同洗濯機の安全スイッチ付近の縦断面図
【図６】（ａ）同洗濯機の安全スイッチの動作時の平面図、（ｂ）同洗濯機の安全スイッチの動作時の縦断面図
【図７】同洗濯機の安全スイッチの接点部の正面図、（ｂ）同洗濯機の安全スイッチの接点部の側面図
【図８】同洗濯機の安全スイッチの接点の拡大断面図
【発明を実施するための形態】
【００２９】
第１の発明は、洗濯機本体と、前記洗濯機本体内部に支持された水槽と、前記水槽に回転自在に内包された洗濯兼脱水槽と、前記洗濯兼脱水槽を回転駆動するモータと、前記モータ等を制御し、洗い、すすぎ、脱水などの行程を制御する制御手段と、前記水槽の異常振動を検知する安全スイッチとを備え、 前記安全スイッチは安全スイッチ本体と、前記安全スイッチ本体に内在する２枚の接点板と、前記安全スイッチ本体に配設され、水槽の異常振動時に接点板を操作するレバーと、前記接点板の遊端部に対向して配設した一対の接点から成り、前記接点の少なくとも一つは他方の接点に接触する複数の当接部を有する構成とすることにより、脱水時に接点間に繊維クズなどの異物が侵入して付着した際の安全スイッチの誤検知を抑制することができ、高い利便性を発揮することができる。
【００３０】
以下、本発明の実施の形態について、図面を参照しながら説明する。なお、この実施の形態によって本発明が限定されるものではない。
（実施の形態１）
図１（ａ）は、本発明の実施の形態における洗濯機の安全スイッチの平面図、図１（ｂ）は、同洗濯機の安全スイッチ付近の縦断面図、図２（ａ）は、同洗濯機の安全スイッチの動作時の平面図、図２（ｂ）は、同洗濯機の安全スイッチの動作時の縦断面図、図３（
ａ）は、同洗濯機の安全スイッチの平面図、図３（ｂ）は、同洗濯機の安全スイッチの縦断面図、図４は、同洗濯機の安全スイッチの接点部の拡大断面図である。
【００３１】
洗濯機（図示せず）は、洗濯機本体内部に水槽５３を防振機構（図示せず）により懸垂防振支持している。また、水槽５３内部には、有底円筒形の洗濯兼脱水槽（図示せず）を回転自在に配設している。
【００３２】
水槽５３の底部には洗濯兼脱水槽の駆動手段を構成するモータ（図示せず）が配設されている。また、モータ等を制御する制御装置（図示せず）が設けられており、制御装置により、洗い、すすぎ、脱水などの行程を制御する。
【００３３】
また、図１（ｂ）に示すように、洗濯機本体上部の枠体５２には、脱水運転時に洗濯兼脱水槽が高速回転する際、水槽の異常振動を検出する安全スイッチが設けられている。
【００３４】
以下に、安全スイッチについて説明する。
【００３５】
図１（ｂ）において、安全スイッチ本体５１の下部には、回転支持点５５が形成されており、回転支持点５５を介して水槽の振動を検出するレバーが回転自在に配設されている。レバーは、回転支持点５５から安全スイッチ本体５１の内方に突出した開閉レバー５８と、回転支持点５５から安全スイッチ本体５１の下方に突出した下方突出レバー５４から構成される。
【００３６】
安全スイッチ本体５１と下方突出レバー５４との間には、復帰スプリング５９が配設されており、復帰スプリング５９により下方突出レバー５４を時計方向に付勢している。
【００３７】
図１（ａ）に示すように、安全スイッチ本体５１の内部には、第１の接点板５６及び第２の接点板５７が、開閉レバー５８を挟んで略平行に配設している。
【００３８】
また、第２の接点板５７の一部には開閉レバー５８側へ向かって凸部６１が形成されている。さらに、第１の接点板５６及び第２の接点板５７の遊端部には互いに対向する接点部４０が配設されている。
【００３９】
上記のように、安全スイッチは、安全スイッチ本体５１、レバー、第１の接点板５６、第２の接点板５７、接点部４０とから構成される。
【００４０】
次に、図３（ａ）、（ｂ）を用いて、接点部４０について説明する。
【００４１】
接点部４０は、第１の接点４０ａ及び第２の接点４０ｂから構成される。図３（ａ）、（ｂ）に示すように、第１の接点板５６の表面に第１の接点４０ａがスポット溶接されており、第２の接点板５７の表面に第２の接点４０ｂがスポット溶接されている。第１の接点４０ａ及び第２の接点４０ｂは、断面形状が略半円状で、平面形状は矩形状で形成されている。
【００４２】
第１の接点４０ａは、矩形状における長手方向が、第１の接点板５６の長手方向に対して略直角方向にスポット溶接されている。また、第２の接点４０ｂは、矩形状における長手方向が、第２の接点板５７の長手方向に対して略平行にスポット溶接されている。つまり、第１の接点４０ａと第２の接点４０ｂは、略直角に対向している。
【００４３】
次に、図４を用いて、接点部４０の構成について説明する。
【００４４】
図４に示すように、第１の接点４０ａ及び第２の接点４０ｂは、第１の接点板５６と第２の接点板５７の表面に銅合金ベース材４０ｅをスポット溶接などで溶接し、銅合金ベース材４０ｅの表面に銀母材４０ｄを溶接し、銀母材４０ｄの表面に金クラッド層４０ｃを溶接することで構成されている。
【００４５】
第１の接点４０ａと第２の接点４０ｂは、金クラッド層４０ｃ同士で互いに接触するため、化学的に安定した接触状態を得ることができる。
【００４６】
ここで、図４に示すように、第２の接点４０ｂは、第１の接点４０ａとの接触側の面に、長手方向に二列の凸状部４１、４２が形成されており、第２の接点は、凸状部４１、４２の両方で第１の接点４０ａと接触する。
【００４７】
以上のように構成された洗濯機について、以下、その動作、作用を説明する。
【００４８】
脱水運転中、水槽５３の横振れが小さい時は、図１（ａ）に示すように、第１の接点４０ａと第２の接点４０ｂから成る接点部４０は接触状態にある。制御装置は、第１の接点４０ａと第２の接点４０ｂが接触している間は、脱水運転可能状態と判断する。
【００４９】
脱水運転時に、洗濯機本体内の水槽５３が大きく異常振動した場合には、水槽５３が下方突出レバー５４を図２（ｂ）中の右方向（矢印Ａ方向）へ押しつけることにより、下方突出レバー５４が図２（ｂ）中の右方向（矢印Ａ方向）へ移動する。この時、下方突出レバー５４は回転支持点５５を中心に反時計回転する。下方突出レバー５４の回転に伴い、開閉レバー５８は図２（ａ）中の左方向（矢印Ｂ方向）へ移動し、開閉レバー５８が第１の接点板５７の凸部６１を図６（ａ）中の下方（矢印Ｃ方向）へ押しやる。凸部６１が矢印Ｃ方向へ移動することで、接点部４０が開状態となる。
【００５０】
制御装置（図示せず）は、接点部４０が開状態となったことを検知すると、モータを停止するなどの処理を行い、洗濯機の脱水運転を停止する。
【００５１】
ここで、接点部４０が開状態の際に、繊維クズなどの異物が第１の接点４０ａと第２の接点４０ｂの間に侵入し付着すると、接点部４０は常時開状態となり、誤検知によって洗濯機の運転が停止することが想定される。
【００５２】
上記問題を解決するため、図３（ａ）に示すように、第２の接点４０ｂは、第１の接点４０ａとの接触側の面に、矩形状における長手方向に二列の凸状部４１、４２を形成している。そのため、第１の接点４０ａと第２の接点４０ｂの凸状部４１、４２との当接箇所の一方に、繊維クズなどの異物が侵入し付着した場合でも、他方の当接箇所で接点接触することができる。そのため、脱水運転中の誤検知を抑制することができ、脱水運転を継続することができる。
【００５３】
また、第２の接点板５７に設けられた二列の凸状部４１、４２との間には、凹部４３が形成されている。第２の接点４０ｂを第２の接点板５７にスポット溶接する際には、凹部４３を押さえて溶接できるため、接点の接触部である凸状部４１、４２を損傷することなく接点板に固定することができる。
【００５４】
なお、本実施の形態では、複数の当接部として、第２の接点４０ｂの表面に、二列の凸状部を形成した例を示しているが、本発明はこれに限定されるものではなく、第１の接点４０ａの表面に凸状部を形成しても良いし、第１の接点４０ａと第２の接点４０ｂの両方の表面に凸状部を形成しても良い。
【００５５】
また、当接部の凸状部は３列以上であってもよい。
【００５６】
また、当接部の表面を凹凸状などにしてもよい。
【００５７】
また、当接部は、凸部を複数突設する構成としてもよい。
【００５８】
また、金クラッド層４０ｃは、接点部４０に印加される電圧、電流などの仕様により、金クラッドに限らず、金メッキ層などでも良い。
【００５９】
また、本実施の形態では、接点部４０は金クラッド層４０ｃ、銀母材４０ｄ、銅合金ベース４０ｅから構成する例を示しているが、本発明はこれに限定されるものではなく、他の金属を使用してもよい。
【００６０】
以上のように、本実施形態においては、洗濯機本体と、前記洗濯機本体内部に支持された水槽５３と、前記水槽５３に回転自在に内包された洗濯兼脱水槽と、水槽５３の異常振動を検知する安全スイッチとを備え、 前記安全スイッチは安全スイッチ本体５１と、前記安全スイッチ本体５１に内在する第１の接点板５７と、第２の接点板５６と、第１の接点板５７及び第２の接点板５６の遊端部に対向して配設した一対の接点部４０から成り、前記接点部４０の少なくとも一つは複数の凸状部を有する構成とすることにより、脱水時に接点間に繊維クズなどの異物が侵入して付着した際の安全スイッチの誤検知を抑制することができ、高い利便性を発揮することができる。
【産業上の利用可能性】
【００６１】
以上のように、本発明にかかる洗濯機は、安全スイッチの接点の接触が複数となり、片方の接点間に繊維クズなどの異物が侵入し付着しても、誤検知しにくく、長期使用でも確実に動作することができるので、接点接触方式の安全スイッチを有する他の洗濯機の用途に適用できる。
【符号の説明】
【００６２】
５２  枠体
５１  安全スイッチ本体
４０  接点部
４０ａ  第１の接点
４０ｂ  第２の接点
５３  水槽
【図１】
2017124031.tif 000003
【図２】
2017124031.tif 000004
【図３】
2017124031.tif 000005
【図４】
2017124031.tif 000006
【図５】
2017124031.tif 000007
【図６】
2017124031.tif 000008
【図７】
2017124031.tif 000009
【図８】
2017124031.tif 000010